(57)【要約】【課題】戸先に内装された錠箱の振れ止めを内外の側取付けケース及びこれらの側取付けケースの内部空間にそれぞれ組み込んだ振れ止め具を介して簡単に防止することができること。【解決手段】戸先端部に内装された錠箱を基準として扉の内壁面に固定的に添設される内側取付けケースの内部空間に、前記錠箱の一端部に接触する第１振れ止め具を内装し、一方、扉の外壁面に固定的に添設される外側取付けケースの内部空間に、前記第１振れ止め具に対向するように設けられ、かつ、前記錠箱の一端部と対向する他端部に接触する第２振れ止め具を内装したことを特徴とする錠箱の振れ止め防止構造。【選択図】  図１
2004176458.tif 000002
【特許請求の範囲】
【請求項１】
戸先端部に内装された錠箱を基準として扉の内壁面に固定的に添設される内側取付けケースの内部空間に、前記錠箱の一端部に接触する第１振れ止め具を内装し、一方、扉の外壁面に固定的に添設される外側取付けケースの内部空間に、前記第１振れ止め具に対向するように設けられ、かつ、前記錠箱の一端部と対向する他端部に接触する第２振れ止め具を内装したことを特徴とする錠箱の振れ止め防止構造。
【請求項２】
請求項１に於いて、振れ止め具は、取付けケースの所定位置に固定的にセットされる係合ブロック本体１１と、この係合ブロック本体１１の露出する対向側面１１ｂに突出状態に取付けられ、かつ、所定寸法の厚みがある調整板１２とから成ることを特徴とする錠箱の振れ止め防止構造。
【請求項３】
請求項１又は請求項２に於いて、複数枚の調整板１２が、互いに一体的に結合して一つの筒状ブロック形成体１２Ａ（１２Ｂ）を構成していることを特徴とする錠箱の振れ止め防止構造。
【請求項４】
請求項１に於いて、第１振れ止め具と第２振れ止め具は、締め付け部材を介して錠箱を挟持状態に保持していることを特徴とする錠箱の振れ止め防止構造。
【発明の詳細な説明】
【０００１】
【発明の属する技術分野】
本発明は、扉の自由端部に内装された錠箱の振れ止め防止構造に関する。
【０００２】
【従来の技術】
扉の自由端部（ここでは、「戸先端部」という。）には、錠箱が内装されているが、該錠箱は、普通一般に収納空間に余裕（隙間）を有して組み込まれている。もちろん、戸先端部内装の錠箱には操作ハンドル軸の端部が嵌入するから、一応他の部材で支持されていることになるが、専用の保持ないし支持部材、或いは錠箱の振れ止め防止機構（構造）で本格的に錠箱を支持或いは保持することが望ましい。
【０００３】
【発明が解決しようとする課題】
本発明の第１の目的は、戸先端部に内装された錠箱の振れ止めを内外の取付けケース及びこれらの取付けケースの内部空間にそれぞれ組み込んだ振れ止め具を介して簡単に防止することができること。第２の目的は、戸先に内装された錠箱の振れ止め防止を確実に達成することができること。第３の目的は、振れ止め具を内外の取付けケースの所定位置に簡単かつ確実にセットすることができること。第４の目的は、振れ止め具を構成する同一又は及び異なる寸法の調整板を複数枚厚さ方向に一体的に係合し、所望する厚みのあるブロック形成体を容易に得ることができること。第５の目的は、扉がたわみを抑制ないし軽減することができることである。
【０００４】
【課題を解決するための手段】
本発明の錠箱の振れ止め防止構造は、戸先端部に内装された錠箱を基準として扉の内壁面に固定的に添設される内側取付けケースの内部空間に、前記錠箱の一端部に接触する第１振れ止め具を内装し、一方、扉の外壁面に固定的に添設される外側取付けケースの内部空間に、前記第１振れ止め具に対向するように設けられ、かつ、前記錠箱の一端部と対向する他端部に接触する第２振れ止め具を内装したことを特徴とする。
【０００５】
上記構成に於いて、振れ止め具は、取付けケースの所定位置に固定的にセットされる係合ブロック本体１１と、この係合ブロック本体１１の露出する対向側面１１ｂに突出状態に取付けられ、かつ、所定寸法の厚みがある調整板１２とから成ることを特徴とする。また、複数枚の調整板１２が、互いに一体的に結合して一つのブロック形成体１２Ａ（１２Ｂ）を構成していることを特徴とする。さらには、第１振れ止め具と第２振れ止め具は、締め付け部材を介して錠箱を挟持状態に保持していることを特徴とする。
【０００６】
【発明の実施の形態】
図１乃至図９に示す錠箱の振れ止め防止構造の一例を説明する。まず図１を参照にすると、１は扉で、この扉１の戸先端部には、図示しない錠機構を内装する錠箱２が内装されている。仮想線で示す錠箱２は、戸先端部に形成（例えば刻設形成）された収納空間に遊嵌合（隙間のある）状態に嵌入されているので、そのままの状態では左右（扉１の厚さ方向Ｗ）に振れる。また錠箱２は、普通一般にケース身と、このケース身の一側開口を閉じるケース蓋とから成り、操作ハンドル軸３の端部が錠箱２内に入り込んでいるが、該操作ハンドル軸３は錠箱を支持する部材ではない。
【０００７】
次に４は錠箱２を基準として扉の内壁面１ａに固定的に添設される内側取付けケースである。この内側取付けケース４は、当業者用語では「内側エスカチオン」と称されている。一方、５は同じく錠箱２を基準として扉１の外壁面１ｂに固定的に添設される外側取付けケースである。この外側取付けケース５も、同様に「外側エスカチオン」と称されている。
【０００８】
内側・外側の取付けケース４，５は、後述する第１及び第２の振れ止め具６，８を介して戸先端部に内装の錠箱２を固定する固定手段としの役割を果す。なお、エスカチオンと称される内側及び外側取付けケース４，５の具体的構成は、本発明の特定要件ではないので、詳細な説明を割愛する。
【０００９】
次に６は内側取付けケース４の内部空間７に、錠箱２の一側壁の一端部２ａに接触するように内装された第１振れ止め具である。一方、８は外側取付けケース５の内部空間９に、前記第１振れ止め具６に対向するように内装され、かつ、前記錠箱２の他側壁の他端部２ｂに接触する第２振れ止め具である。ここで錠箱２の前記他端部２ｂは一端部２ａに対向する意味合で使用する。
【００１０】
第１及び第２振れ止め具６，８の外観構成は、図３に示す通りである。ここでは説明の便宜上、第１振れ止め具６の構成を具体的に図示して説明し、第２振れ止め具８のそれは割愛する、なお、第２振れ止め具８の同一部分には同一の符号を付す。
【００１１】
図３乃至図７を参照にして第１振れ止め具６を説明する。第１振れ止め具６は、内側取付けケース４の所定位置に固定的にセットされる合成樹脂製のかに型係合ブロック本体１１と、この係合ブロック本体１１の露出する対向端面１１ｂに突出状態に取付けられる所定寸法の厚みがある合成樹脂製の調整板１２或いはブロック形成体１２Ａ（１２Ｂ）とから成る。単品の調整板１２は、本実施例では同一又は異なる寸法同士（厚さを意味する。）を複数枚厚さ方向に結合すると筒状のブロック形成体１２Ａ（１２Ｂ）と成り、一つの振れ止め防止ブロックとして前記係合ブロック本体１１の嵌合孔１３に脱着自在に嵌合する。
【００１２】
そこで、図３を参照にして係合ブロック本体１１の構成を説明する。１３は中心部に形成された貫通状態の嵌合孔である。この嵌合孔１３は内側取付けケース４に形成された締め付け手段構成部材用の小孔１４と対向する一側面１１ａから第２振れ止め具８に対向する対向側面１１ｂに至るまでやや大径状に形成されている。
【００１３】
１５，１５は中心部にそれぞれ連設する左右の段差肩状部で、これらの肩状部１５，１５には、脇部分１６，１６を有する腕状付け根部１７，１７がそれぞれ連設形成されている。そして、前記左右の腕状付け根部１７，１７の外壁面の下部には、内側取付けケース４の左右の対向側壁部にそれぞれ形成した被係合部（係合凹所、係合孔など）１８，１８に係合する係合部（単数又は複数個の係合爪片）１９，１９が突出形成されている。
【００１４】
しかして、前記腕状付け根部１７，１７は、内側取付けケース４の左右の対向側壁部４ａ，４ｂの内壁面に左右の係合爪片１９，１９がそれぞれ圧接した場合には、図８で示すように材質自体により内側に弾性変形する機能（弾性変形機能）と、係合ブロック本体１１が内側取付けケース４の所定位置にセットした場合に前述した被係合部１８，１８と左右の係合爪片１９，１９との係合を確保するために外拡方向へ復帰する機能（弾性復帰機能）とを有する。
【００１５】
次に調整板１２について説明する。調整板１２は、図４及び図５で示すように所定寸法の厚み（例えば１ｍｍ，２ｍｍ，３ｍｍ，４ｍｍ，５ｍｍ、６ｍｍなど）を有する垂直板部２１と、この垂直板部２１の一側面に突出形成された環状突起２２とから成り、前記環状突起２２を有する垂直板部２１の中央部位には、係合ブロック本体１１の嵌合孔１３と連通状態となる貫通孔２３が形成されている。
【００１６】
しかして、前記貫通孔２３は寸法如何に拘わらず他の調整板１２に対して係合機能を有し、本実施例では同一又は異なる寸法の調整板１２が、互いに一体的に結合すると、いわば筒状のブロック形成体１２Ａ（１２Ｂ）になる。
【００１７】
なお、本実施例の調整板１２の上端部が一部カットされているが、これは内側取付けケース４内に組み込まれる部材との関係等を考慮したものであり、本発明の限定要件ではない。したがって、の調整板１２の形状は円板状、多角形状など任意に形状できる。
【００１８】
次に２５は、扉１の壁面１ａ，１ｂに、該壁面１ａ，１ｂに直交するように設けられ、かつ、第１振れ止め具６と第２振れ止め具８のそれぞれの嵌合孔１３に嵌め込まれた状態で第１振れ止め具６と第２振れ止め具８とを互いに引き寄せる締め付け部材である。この締め付け部材２５は、本実施例では内側取付けケース４の小孔１４から挿入され、かつ、第１振れ止め具６の嵌合孔１３に貫通状態に嵌め込まれる螺杆状のオス具２６と、第２振れ止め具８の嵌合孔１３に嵌め込まれたパイプ状のメス具２７と、このメス具２７の嵌合内端部に螺合する取付けケース側固着具２８とで構成されている。なお、前記ケース側固着具２８については、パイプ状のメス具２７の挿入側端部に係合フランジ部を形成することにより省くことができる。
【００１９】
ところで、締め付け部材２５は、本発明の独立項の特定（限定）要件ではない。その理由は、エスカチオンと称される内側取付けケースと外側取付けケースは、両取付けケースの適宜箇所に設けられた図示しない螺杆より一体的に結合し、或いは適当な固着手段を介して扉１の内外の壁面１ａ，１ｂにそれぞれ固定的に添設することができるからである。このような場合には、内側取付けケース４と外側取付けケース５は、扉１の壁面１ａ，１ｂにそれぞれ適宜に固定される。そうすると、内側取付けケース４と外側取付けケース５に扉１の厚さ、調整板１２の厚さや数等を考慮して予め固定的に装着した第１振れ止め具６及び第２振れ止め具８が、必然的に錠箱２の幅広両側壁の端部２ａ，２ｂにそれぞれ接触ないし押圧状態に当接するので、本発明の主たる目的を達成することができる。
【００２０】
そこで、実施例の組み合わせについて説明する。まず、図１で示す扉１の幅（厚さ）Ｗを測る。次いで、錠箱２の両側壁の端部２ａ，２ｂに第１振れ止め具６並びに第２振れ止め具８の係合ブロック本体１１が直接又は間接的にそれぞれ接触することから、調整板１２の必要性の有無、もし調整板１２が必要ならば、同一又は異なる寸法の調整板１２を何枚結合して「どのような厚みのあるブロック形成体１２Ａ（１２Ｂ）を作り出すべきか」を検討する。
【００２１】
図１では厚さ寸法が異なる２枚の調整板１２，１２を結合してブロック形成体１２Ｂを構成している。このようにして錠箱振れ止め用のブロック形成体１２Ｂが出来上がったら、一番外側の環状突起２２を各係合ブロック本体１１の嵌合孔１３にそれぞれ嵌め込む。そうすると、所望の第１振れ止め具６並びに第２振れ止め具８が出来上がる。
【００２２】
次に第１振れ止め具６及び第２振れ止め具８が出来上がったならば、内側取付けケース４の内部空間７に第１振れ止め具６を内装し、一方、外側取付けケース５の内部空間９に第２振れ止め具８を内装する。各振れ止め具６，８の腕状付け根部１７は、前出したように弾性変形機能と弾性復帰機能とを有するので、左右の係合爪片１９，１９が取付けケース４，５の被係合部１８，１８の位置に来た所で確実に係合する。
【００２３】
したがって、この時点で第１・第２の振れ止め具６，８は、内外の取付けケース４，５の所定位置に固定的にセットされる。
【００２４】
内外の取付けケース４，５は、第１・第２の振れ止め具６，８がそれぞれの内部空間７，９に固定的に係合した段階で図示しない螺杆より一体的に係合し、或いは適当な固着手段を介して扉１の内外の壁面１ａ，１ｂにそれぞれ固定的に添設できる旨は説明した通りである。
【００２５】
しかしながら、本実施例では、錠箱２の振れ止め防止をより確実にするために、まず、外側取付けケース５の第２の振れ止め具８の嵌合孔にパイプ状のメス具２７を嵌め込み、かつ、該メス具２７の挿入端部をケース側固着具２８で固定する（図２を参照）。この状態に於いて、メス具２７は、第２の振れ止め具８の嵌合孔から所定量突出する。
【００２６】
このように構成した外側取付けケース５を扉１の外の壁面１ｂに添設した後に、今度は内側取付けケース４を扉１の内壁面１ａに添設する。この時内側取付けケース４の第１振れ止め具６の嵌合孔１３（貫通孔２３も含む）にパイプ状のメス具２７の突出端部が一部遊嵌合する（図１を参照）。
【００２７】
しかる後に、螺杆状オス具２５を外側取付けケース５の小孔１４から第１振れ止め具６の嵌合孔１３に回しながら差し込んで行くと、オス具２５の先端オネジ部がメス具２７のメネジ部に螺合する。
【００２８】
したがって、第１振れ止め具６と第２振れ止め具８は、錠箱２を挟持する方向に引き寄せられ、最終的には内外の取付けケース４，５と共に、錠箱２の幅広両側壁の対向端部が内外の取付けケースに間接的に挟持される（直接的には錠箱２は左右の振れ止め具６，８で保持される）。
【００２９】
【実施例】
図１０は、同一寸法（例えば垂直板部２１の厚さが２ｍｍ）の調整板１２を合計４枚厚さ方向に一体的に係合してブロック形成体１２Ａを構成した一例である（調整板１２が結合拡大してブロック形成体１２Ａになる）。
【００３０】
また図１１は、異なる寸法（例えば垂直板部２１の厚さが３ｍｍと５ｍｍ）の調整板１２，１２を合計２枚厚さ方向に一体的に係合してブロック形成体１２Ｂを構成した他例である。このようにして、本発明の第１又は／及び第２の振れ止め具６，８は、所望する厚みのブロック形成体１２Ａ（１２Ｂ）を得ることができる。
【００３１】
【発明の効果】
以上の説明から明らかなように、本発明にあっては、次に列挙するような効果がある。
（１）戸先に内装された錠箱の振れ止めを内外の取付けケース及びこれらの取付けケースの内部空間にそれぞれ組み込んだ振れ止め具を介して簡単に防止することができる。
（２）戸先に内装された錠箱の振れ止め防止を確実に達成することができる。
（３）振れ止め具を内外の取付けケースの所定位置に簡単、かつ、確実に固定的にセットすることができる。
（４）振れ止め具を構成する同一又は及び異なる寸法の調整板を複数枚厚さ方向に一体的に係合して所望する厚みのあるブロック形成体を簡単に得ることができる。
（５）締め付け部材を締め付けても、第１・第２の振れ止め具が錠箱の左右の端部にそれぞれ当るので、内外の側取付けケースの正面側幅広壁面並びに取付けケースを装着した部位寄りの扉の壁面がそれぞれ変形しないという利点がある。敷衍すれば、一般に、錠前を扉に取り付ける場合、扉の構造や扉材の板厚によっては、第１・第２の振れ止め具を有しない場合、内外の側取付けケースを固定手段で締め付けると、扉がたわみ、不具合が生じる場合がある。本発明では、このような不具合を抑制ないし軽減することができる。
【図面の簡単な説明】
図１乃至図９は本発明の一実施例を示す各概略説明図。
【図１】実施形態の一例を示す概略説明図（扉の厚さ方向から見ている）。
【図２】図１に於いて、内側取付けケースと外側取付けケースとを分離した状態の概略説明図。
【図３】本発明の主要部である振れ止め具の分解斜視図。
【図４】振れ止め具を構成する調整板の正面図。
【図５】図４の５−５線概略断面図。
【図６】同一寸法の調整板１２を合計３枚結合した概略断面図。
【図７】係合ブロック本体にブロック形成体の一例を結合して振れ止め具を構成した状態を示す斜視図。
【図８】振れ止め具を外側（内側）取付けケースの所定位置にセットする概略説明図。
【図９】錠箱と振れ止め具との接触関係を示す概略説明図。
【図１０】ブロック形成体の一例を示す説明図。
【図１１】ブロック形成体の他例を示す説明図。
【符号の説明】
１…扉、１ａ…内壁面、１ｂ…外壁面、２…錠箱、２ａ…一端部、２ｂ…他端部、３…操作ハンドル軸、４…内側取付けケース、５…外側取付けケース、６…第１振れ止め具、７，９…内部空間、８…第２振れ止め具、１１…係合ブロック本体、１２…調整板、１２Ａ，１２Ｂ…ブロック形成体、１３…嵌合孔、１４…小孔、１５…肩状部、１６…脇部分、１７…腕状付け根部、１８…被係合部、１９…係合部、２１…垂直板部、２２…突起、２３…貫通孔、２５…締め付け部材、２６…オス具、２７…メス具、２８…ケース側固着具、Ｗ…扉の厚さ。
【図１】
2004176458.tif 000003
【図２】
2004176458.tif 000004
【図３】
2004176458.tif 000005
【図４】
2004176458.tif 000006
【図５】
2004176458.tif 000007
【図６】
2004176458.tif 000008
【図７】
2004176458.tif 000009
【図８】
2004176458.tif 000010
【図９】
2004176458.tif 000011
【図１０】
2004176458.tif 000012
【図１１】
2004176458.tif 000013